(57)【要約】【課題】正面扉の開口部に設けられるフィルタの交換を容易に行うことのできるフィルタ装置を提供する。【解決手段】遮断器のような収納機器を収納する箱体１と、箱体１の開口部に設けられた開閉自在の正面扉２と、正面扉２の換気口に設けられたガイド１０と、ガイド１０に沿って移動するとともに、換気口を覆うフィルタ３と、フィルタ３の着脱方向に設けられたフィルタを移動自在に移動させることの可能な、少なくともフィルタ３端部から切欠き部１１までの障害物のないエリアからなるフィルタ移動自在エリアと、を具備する。【選択図】  図１
2012175870.tif 000002
【特許請求の範囲】
【請求項１】
収納機器を収納する箱体と、
前記箱体の開口部に設けられた開閉自在の正面扉と、
前記正面扉の換気口に設けられたガイドと、
前記ガイドに沿って移動するとともに、前記換気口を覆うフィルタと、
前記フィルタの着脱方向に設けられた前記フィルタを移動自在に移動させることの可能なフィルタ移動自在エリアと、
を具備した金属閉鎖形スイッチギヤのフィルタ装置。
【請求項２】
前記ガイドを水平方向に配置し、
前記ガイドと対向する前記正面扉のハンドル側縁板に切欠き部を設け、
前記ガイドから前記切欠き部までを前記フィルタ移動自在エリアとした請求項１に記載の金属閉鎖形スイッチギヤのフィルタ装置。
【請求項３】
前記ガイドを垂直方向に配置し、
前記ガイドの上方向に障害物のない着脱エリアを設け、
この着脱エリアを前記フィルタ移動自在エリアとした請求項１に記載の金属閉鎖形スイッチギヤのフィルタ装置。
【請求項４】
前記フィルタを着脱させる前記ガイドの端部に前記フィルタを固定するストッパーを設けた請求項１乃至請求項３のいずれか１項に記載の金属閉鎖形スイッチギヤのフィルタ装置。
【発明の詳細な説明】
【技術分野】
【０００１】
本発明の実施形態は、フィルタの交換を容易とし得る金属閉鎖形スイッチギヤのフィルタ装置に関する。
【背景技術】
【０００２】
従来、金属閉鎖形スイッチギヤには、箱体内を換気するため、防塵用のフィルタを装着した換気口が設けられている（例えば、特許文献１参照。）。
【０００３】
この種の金属閉鎖形スイッチギヤのフィルタ装置を図６に示す。遮断器のような収納機器を収納する箱体１には、開口部に開閉自在の正面扉２が設けられている。正面扉２の下部には、換気口が設けられ、これを覆うように防塵用のフィルタ３が固定されている。フィルタ３は、上下の両端がＺ字状の固定金具４でそれぞれ固定されている。Ｚ字状の一方はフィルタ３端部を係止し、他方は正面扉２に固定されたスタッド５を貫通し、このスタッド５にボルト６を締付けることにより、固定されている。
【０００４】
正面扉２には、開閉操作を行うためのハンドル７が設けられている。また、正面扉２には、四辺がそれぞれ内側に折り曲げられた天井側縁板２ａ、ハンドル側縁板２ｂ、床側縁板２ｃ、蝶番側縁板２ｄが設けられ、機械的強度の向上が図られている。
【０００５】
このようなフィルタ３は、運転中に汚損されるので、定期点検時などの所定時期に新品と交換される。交換にあたっては、全てのボルト６を緩めて固定金具４をスタッド５から外している。新品の固定時には、ボルト６の締付けトルクが管理され、フィルタ３の脱落防止が図られている。このため、フィルタ３の交換においては、組立作業に多大の時間を要していた。
【先行技術文献】
【特許文献】
【０００６】
【特許文献１】特開２０１０−１４２１０４号公報
【発明の概要】
【発明が解決しようとする課題】
【０００７】
本発明が解決しようとする課題は、フィルタ３の交換を短時間で容易に行える金属閉鎖形スイッチギヤのフィルタ装置を提供することにある。
【課題を解決するための手段】
【０００８】
上記課題を解決するために、実施形態の金属閉鎖形スイッチギヤのフィルタ装置は、収納機器を収納する箱体と、前記箱体の開口部に設けられた開閉自在の正面扉と、前記正面扉の換気口に設けられたガイドと、前記ガイドに沿って移動するとともに、前記換気口を覆うフィルタと、前記フィルタの着脱方向に設けられた前記フィルタを移動自在に移動させることの可能なフィルタ移動自在エリアと、を具備している。
【図面の簡単な説明】
【０００９】
【図１】本発明の実施例１に係る金属閉鎖形スイッチギヤのフィルタ装置の構成を示す斜視図。
【図２】本発明の実施例１に係る金属閉鎖形スイッチギヤのフィルタ装置の構成を示す要部拡大斜視図。
【図３】本発明の実施例２に係る金属閉鎖形スイッチギヤのフィルタ装置の構成を示す要部斜視図。
【図４】本発明の実施例３に係る金属閉鎖形スイッチギヤのフィルタ装置の構成を示す要部斜視図。
【図５】本発明の実施例４に係る金属閉鎖形スイッチギヤのフィルタ装置の構成を示す要部斜視図。
【図６】従来の金属閉鎖形スイッチギヤのフィルタ装置の構成を示す斜視図。
【発明を実施するための形態】
【００１０】
以下、図面を参照して本発明の実施例を説明する。
【実施例１】
【００１１】
先ず、本発明の実施例１に係る金属閉鎖形スイッチギヤのフィルタ装置を図１、図２を参照して説明する。図１は、本発明の実施例１に係る金属閉鎖形スイッチギヤのフィルタ装置の構成を示す斜視図、図２は、本発明の実施例１に係る金属閉鎖形スイッチギヤのフィルタ装置の構成を示す要部拡大斜視図である。なお、各図において、従来と同様の構成部分については、同一符号を付した。
【００１２】
図１に示すように、遮断器のような収納機器を収納する箱体１には、開口部に開閉自在の正面扉２が設けられている。正面扉２の下部内側には、換気口が設けられ、これを覆うように防塵用で矩形状のフィルタ３が固定されている。フィルタ３は、断面コ字状の溝が対向するように水平方向に配置された一対のガイド１０に収納され、固定されている。
【００１３】
正面扉２には、開閉操作を行うためのハンドル７が設けられている。また、正面扉２には、機械的強度を向上させるため、四辺が内側に折り曲げられた天井側縁板２ａ、ハンドル側縁板２ｂ、床側縁板２ｃ、蝶番側縁板２ｄが設けられている。ハンドル側縁板２ｂには、一対のガイド１０の溝の幅間と対向する部分に切欠き部１１が設けられている。切欠き部１１の高さ方向の幅は、フィルタ３の高さよりも大きい。
【００１４】
ガイド１０の溝底部の端部には、図２に示すように、突出自在の三角状のストッパー１２が設けられている。ストッパー１２の反対側の端部には、図示しない止め板が固定されている。
【００１５】
次に、フィルタ３の着脱方法を説明する。取外すときには、正面扉２を開いて仮止めし、ストッパー１２を押してガイド１０の溝底部の面に合せる。この状態を保って、フィルタ３を水平方向に移動させ、ストッパー１２を乗り越え、切欠き部１１を通り抜けるまで引き出す。
【００１６】
取付けるときには、切欠き部１１側から、フィルタ３をガイド１０の溝に挿入し、ストッパー１２を押し下げる。そして、ガイド１０に沿って移動させ、一方端が止め板に当接するまで挿入する。すると、他方端がストッパー１２を通り過ぎ、ストッパー１２が突出する。これにより、フィルタ３を固定することができる。ストッパー１２は、上下のガイド１０の少なくとも一方に設けるものとする。
【００１７】
ここで、ガイド１０端部から切欠き部１１までと、切欠き部１１外側の平行方向の所定空間を、フィルタ３の着脱方向に設けられたフィルタ３を移動自在に移動させることが可能なフィルタ移動自在エリアと称する。なお、切欠き部１１の外側の空間は、一般的に開放されているので、少なくともガイド１０端部から切欠き部１１までの障害物のないエリアをフィルタ移動自在エリアという。
【００１８】
上記実施例１の金属閉鎖形スイッチギヤのフィルタ装置によれば、フィルタ３を一対のガイド１０の溝に沿って移動させ、着脱するようにしているので、交換作業を短時間で容易に行うことができる。また、ガイド１０の溝底部の端部に突出自在のストッパー１２を設けることにより、フィルタ３を確実に固定することができる。更に、着脱方向の水平方向に、フィルタ３の高さよりも大きい幅を有する切欠き部１１を設けているので、フィルタ３の移動を容易とすることができる。
【実施例２】
【００１９】
次に、本発明の実施例２に係る金属閉鎖形スイッチギヤのフィルタ装置を図３を参照して説明する。図３は、本発明の実施例２に係る金属閉鎖形スイッチギヤのフィルタ装置の構成を示す要部斜視図である。なお、この実施例２が実施例１と異なる点は、ガイドを箱状としたことである。図３において、実施例１と同様の構成部分においては、同一符号を付し、その詳細な説明を省略する。
【００２０】
図３に示すように、ガイド１３を箱状とし、内側の面には矩形状の換気開口部１４を設けている。
【００２１】
上記実施例２の金属閉鎖形スイッチギヤのフィルタ装置によれば、実施例１と同様の効果を得ることができる。
【実施例３】
【００２２】
次に、本発明の実施例３に係る金属閉鎖形スイッチギヤのフィルタ装置を図４を参照して説明する。図４は、本発明の実施例３に係る金属閉鎖形スイッチギヤのフィルタ装置の構成を示す要部斜視図である。なお、この実施例３が実施例１と異なる点は、ガイドを垂直方向に配置したことである。図４において、実施例１と同様の構成部分においては、同一符号を付し、その詳細な説明を省略する。
【００２３】
図４に示すように、断面コ字状の溝を有する一対のガイド１５を垂直方向に配置している。ガイド１５の図示下部には、図示しないフィルタ３の脱落を防ぐための止め板が設けられている。また、ガイド１５の図示上方向には、フィルタ３の面積よりも大きい着脱エリア１６が設けられている。着脱エリア１６とは、何も障害物がなく、フィルタ３を自在に移動させることのできるエリアである。
【００２４】
ここで、着脱エリア１６を、実施例１での定義と同様に、フィルタ３の着脱方向に設けられたフィルタ３を移動自在に移動させることの可能なフィルタ移動自在エリアと称する。
【００２５】
上記実施例３の金属閉鎖形スイッチギヤのフィルタ装置によれば、実施例１と同様の効果のほかに、フィルタ３を図示上下方向に移動させて着脱を行うので、ハンドル側縁板２ｂを加工する必要がなく、正面扉２の組立工数を削減することができる。
【実施例４】
【００２６】
次に、本発明の実施例４に係る金属閉鎖形スイッチギヤのフィルタ装置を図５を参照して説明する。図５は、本発明の実施例４に係る金属閉鎖形スイッチギヤのフィルタ装置の構成を示す要部斜視図である。なお、この実施例４が実施例３と異なる点は、ガイドを箱状としたことである。図５において、実施例３と同様の構成部分においては、同一符号を付し、その詳細な説明を省略する。
【００２７】
図５に示すように、ガイド１７を箱状とし、内側の面には矩形状の換気開口部１８を設けている。
【００２８】
上記実施例４の金属閉鎖形スイッチギヤのフィルタ装置によれば、実施例３と同様の効果を得ることができる。
【００２９】
以上述べたような実施形態によれば、ガイドに沿ってフィルタを着脱するようにしているので、交換作業を短時間で容易に行うことができる。
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１  箱体
２  正面扉
２ａ  天井側縁板
２ｂ  ハンドル側縁板
２ｃ  床側縁板
２ｄ  蝶番側縁板
３  フィルタ
４  固定金具
５  スタッド
６  ボルト
７  ハンドル
１０、１３、１５、１７  ガイド
１１  切欠き部
１２  ストッパー
１４、１８  換気開口部
１６  着脱エリア
【図１】
2012175870.tif 000003
【図２】
2012175870.tif 000004
【図３】
2012175870.tif 000005
【図４】
2012175870.tif 000006
【図５】
2012175870.tif 000007
【図６】
2012175870.tif 000008